(57)【要約】【課題】コネクタハウジングから引き出された電線を保持するためにコネクタカバーに設けられた電線保持部を小型化し、ひいてはコネクタカバーを小型化することができるコネクタカバーの電線保持構造を提供すること。【解決手段】電線９１の端末部に取り付けられた端子９５よりも後方位置に電線９１の最外層の絶縁被覆９２が一部区間除去された被覆除去部９９が形成された端子付き電線９０と、被覆除去部９９の絶縁被覆９２から露出された露出面９３ａを周方向に沿って保持する電線保持部７０を有し、端子９５が収容されるコネクタハウジング２０の電線９１の引き出し側の端部に装着された状態で、コネクタハウジング２０から引き出された電線９１を電線保持部７０によって保持するコネクタカバー３０と、を有する。【選択図】図３
2018206664.tif 000002
【特許請求の範囲】
【請求項１】
電線の端末部に取り付けられた端子よりも後方位置に前記電線の最外層の絶縁被覆が一部区間除去された被覆除去部が形成された端子付き電線と、
前記被覆除去部の前記絶縁被覆から露出された露出面を周方向に沿って保持する電線保持部を有し、前記端子が収容されるコネクタハウジングの前記電線の引き出し側の端部に装着された状態で、前記コネクタハウジングから引き出された前記電線を前記電線保持部によって保持するコネクタカバーと、
を有することを特徴とするコネクタカバーの電線保持構造。
【請求項２】
前記電線保持部は、
前記被覆除去部の前側の前記絶縁被覆の除去端面に当接された当接面が形成されていることを特徴とする請求項１に記載のコネクタカバーの電線保持構造。
【発明の詳細な説明】
【技術分野】
【０００１】
本発明は、コネクタハウジングから引き出された電線をコネクタカバーに設けられた電線保持部によって保持するコネクタカバーの電線保持構造に関する。
【背景技術】
【０００２】
従来、コネクタハウジングから引き出された端子付き電線の電線を保護するとともに電線の方向を規制する場合、コネクタハウジングの電線引き出し側の端部にコネクタカバー（例えば、特許文献１参照）が装着される。
【０００３】
コネクタカバーは、コネクタハウジングから引き出された電線の方向を規制するだけでなく、電線を保持する電線保持部を設けるものがある。
電線保持部は、コネクタハウジングから引き出された電線のコネクタカバー内での振動を抑える機能をなしている。
電線保持部が電線の振動を抑えることによって、コネクタハウジング内の端子が電線の振動の影響を受けて振動され、端子と相手端子との接触部で摺動摩耗が発生し、メッキがはがれ、結果的に電気的接続信頼性が低下されるのを防ぐことができるようになっている。
【０００４】
例えば、特許文献２には、コネクタハウジングから引き出された電線を把持する把持部（電線保持部）が設けられた電線保護カバー（コネクタカバー）が記載されている。
【０００５】
また、特許文献３には、コネクタハウジングから引き出された電線を保持する電線保持部を備えたコネクタカバーが記載されている。
【先行技術文献】
【特許文献】
【０００６】
【特許文献１】特開２０１３−１１００２５号公報
【特許文献２】特開２００６−１９６３４９号公報
【特許文献３】特開２０１３−２５９３６号公報
【発明の概要】
【発明が解決しようとする課題】
【０００７】
しかしながら、電線保持部は、電線の外周面の外側に配置される壁を形成する必要があるため、電線の外側に壁の厚さ分のスペースを確保する必要があり、小型化することが難しく、コネクタカバーの小型化を難しくする要因の一つになっていた。
【０００８】
本発明は、上記に鑑みてなされたものであって、コネクタハウジングから引き出された電線を保持するためにコネクタカバーに設けられた電線保持部を小型化し、ひいてはコネクタカバーを小型化することができるコネクタカバーの電線保持構造を提供することを目的とする。
【課題を解決するための手段】
【０００９】
上述した課題を解決し、目的を達成するために、本発明の請求項１に係るコネクタカバーの電線保持構造は、電線の端末部に取り付けられた端子よりも後方位置に前記電線の最外層の絶縁被覆が一部区間除去された被覆除去部が形成された端子付き電線と、前記被覆除去部の前記絶縁被覆から露出された露出面を周方向に沿って保持する電線保持部を有し、前記端子が収容されるコネクタハウジングの前記電線の引き出し側の端部に装着された状態で、前記コネクタハウジングから引き出された前記電線を前記電線保持部によって保持するコネクタカバーと、を有することを特徴とする。
【００１０】
また、本発明の請求項２に係るコネクタカバーの電線保持構造は、上記の発明において、前記電線保持部は、前記被覆除去部の前側の前記絶縁被覆の除去端面に当接された当接面が形成されていることを特徴とする。
【発明の効果】
【００１１】
本発明の請求項１に係るコネクタカバーの電線保持構造は、前記コネクタカバーの前記電線保持部が、前記電線の最外層の前記絶縁被覆が除去された前記被覆除去部の露出面を周方向に沿って保持している。すなわち、前記電線保持部が、前記絶縁被覆が除去されることによって前記電線の外径が小さくされた前記被覆除去部を保持するようになっている。このため、前記絶縁被覆の外周面を基準とした前記電線保持部の径外方向へ拡がる壁部分の面積を小さく抑えることができ、結果的に、コネクタハウジングから引き出された電線を保持するためにコネクタカバーに設けられた電線保持部を小型化し、ひいてはコネクタカバーを小型化することができる。
【００１２】
本発明の請求項２に係るコネクタカバーの電線保持構造は、前記電線保持部に前記被覆除去部の前側の前記絶縁被覆の除去端面に当接された当接面が形成されているので、前記電線が前記コネクタハウジングから引き出される方向に引っ張られる場合であっても、前記被覆除去部の前記除去端面が前記当接面に当接されているので、前記端子付き電線が引っ張り方向に移動されることが阻止される。しかも、前記電線を引っ張る力を前記除去端面によって受け止め前記端子に前記電線を引っ張る力が作用されないようになっているので、前記端子が前記コネクタハウジングから離脱されることを防ぎ、かつ、前記端子と前記電線との接続状態を維持できるため、前記電線の芯線の破断、あるいは、前記端子から前記電線が抜けることを防ぐことができる。
【図面の簡単な説明】
【００１３】
【図１】図１は、本発明の実施例に係るコネクタカバーの電線保持構造を含むコネクタカバーがコネクタに装着されたカバー装着コネクタの斜視図である。
【図２】図２は、カバー装着コネクタの正面図である。
【図３】図３は、図２に示したカバー装着コネクタのＡ―Ａ線断面図である。
【図４】図４は、図３に示したカバー装着コネクタのＢ−Ｂ線断面図である。
【図５】図５は、コネクタカバーをコネクタハウジングへの装着側から視た図である。
【図６】図６は、図５に示したコネクタカバーのＣ−Ｃ線断面図である。
【図７】図７は、（ａ）が被覆除去部を形成する前の端子付き電線の側面図であり、（ｂ）は被覆除去部を形成した端子付き電線の側面図である。
【図８】図８は、変形例のコネクタカバーをコネクタハウジングへの装着側から視た図である。
【発明を実施するための形態】
【００１４】
以下、図面を参照して、本発明に係るコネクタカバーの電線保持構造の好適な実施例を詳細に説明する。
【実施例】
【００１５】
図１は、本発明の実施例に係るコネクタカバーの電線保持構造１を含むコネクタカバー３０がコネクタ１０に装着されたカバー装着コネクタ１００の斜視図である。図２は、カバー装着コネクタ１００の正面図である。図３は、図２に示したカバー装着コネクタ１００のＡ―Ａ線断面図である。図４は、図３に示したカバー装着コネクタ１００のＢ−Ｂ線断面図である。図５は、コネクタカバー３０をコネクタハウジング２０への装着側から視た図である。図６は、図５に示したコネクタカバー３０のＣ−Ｃ線断面図である。図７は、（ａ）が被覆除去部９９を形成する前の端子付き電線９０の側面図であり、（ｂ）は被覆除去部９９を形成した端子付き電線９０の側面図である。
本発明の実施例に係るコネクタカバーの電線保持構造１は、コネクタハウジング２０から引き出された端子付き電線９０の電線９１を保護するとともに電線９１の方向を規制するため、コネクタハウジング２０の電線引き出し側の端部に装着されるコネクタカバー３０によってコネクタハウジング２０から引き出された電線９１を保持する構造である。
【００１６】
このコネクタカバーの電線保持構造１は、電線９１の最外層の絶縁被覆９２が一部区間除去された被覆除去部９９が形成された端子付き電線９０と、被覆除去部９９の絶縁被覆９２から露出された露出面９３ａを周方向に沿って保持する電線保持部７０を有し、端子９５が収容されるコネクタハウジング２０の電線９１の引き出し側の端部に装着された状態で、コネクタハウジング２０から引き出された電線９１を電線保持部７０によって保持するコネクタカバー３０と、を有する。
【００１７】
まず、コネクタカバーの電線保持構造１を含むコネクタカバーがコネクタに装着されたカバー装着コネクタ１００について説明する。
カバー装着コネクタ１００は、コネクタ１０と、コネクタ１０に装着されるコネクタカバー３０と、を有する。
【００１８】
コネクタ１０は、コネクタハウジング２０と、コネクタハウジング２０内に収容された端子９５とを有する。
コネクタハウジング２０は、絶縁性の樹脂材からなるブロック状をなし、図３に示すように、内部に端子９５の挿入口側となる一端側から、不図示の相手端子が挿入される開口が設けられる側となる他端側まで貫通された空間に端子収容室２１が設けられている。
【００１９】
端子収容室２１は、端子９５を端子収容室２１内のセット完了位置で係止する弾性係止片２１ａが設けられている。
【００２０】
端子９５は、相手端子との接続部分となる相手端子接続部９６と、電線９１の端末部に圧着される部分となる電線圧着部９７と、相手端子接続部９６と電線圧着部９７との間を連結する連結部９８と、を有する。
【００２１】
相手端子接続部９６は、内部に設けられた弾性接触片９６ａを囲い、かつ、先端に相手端子が挿入される開口が形成された箱型形状になっている。
【００２２】
電線圧着部９７は、芯線９３に圧着される芯線圧着部９７ａと、芯線９３の外周を覆う絶縁被覆９２に圧着される被覆圧着部９７ｂと、を有する。
【００２３】
なお、電線９１は、導電材からなる芯線９３と、芯線９３の外周を覆う絶縁材である絶縁被覆９２と、を有し、先端部の絶縁被覆９２が除去されることによって露出された芯線９３に芯線圧着部９７ａが圧着されるようになっている。
【００２４】
このような電線９１の端末部に端子９５が圧着された端子付き電線９０は、図７に示すように、電線９１の端末部に取り付けられた端子９５よりも後方位置に電線９１の最外層の絶縁被覆９２が一部区間除去された被覆除去部９９が形成されている。
なお、この実施例では、被覆除去部９９は、最外層の絶縁被覆９２が除去されることによって芯線９３が露出された部分になっている。
【００２５】
コネクタカバー３０は、絶縁性の樹脂材からなり、コネクタハウジング２０に固定される部分となるハウジング固定部４０と、コネクタハウジング２０から引き出された電線９１を囲う壁であり、壁の内面によって電線９１の方向を規制する電線方向規制部５０と、を有する。
【００２６】
ハウジング固定部４０は、コネクタカバー３０がコネクタハウジング２０に装着完了された状態で、コネクタハウジング２０の両側面側に迫り出した状態で配置される一対の固定壁４１、４１を有する。
【００２７】
このハウジング固定部４０は、一対の固定壁４１、４１によってコネクタハウジング２０を両側面側から挟み込むようになっている。コネクタカバー３０とコネクタハウジング２０とは、不図示の係合手段により係合されることにより固定されている。
【００２８】
電線方向規制部５０は、電線方向規制部５０の全体的な外郭を構成する電線誘導壁部６０と、電線誘導壁部６０内に設けられ、コネクタハウジング２０から引き出された電線９１を保持する電線保持部７０と、を有する。
【００２９】
電線誘導壁部６０は、コネクタハウジング２０から引き出された電線９１を壁内面によって所定の方向に屈曲させながら誘導する壁である。
【００３０】
この電線誘導壁部６０は、コネクタハウジング２０の電線引き出し側の端面に当接され、コネクタハウジング２０から引き出された電線９１を側方側から囲う一対の側壁６１、６１と、一対の側壁６１、６１の間を上部側から背面側まで曲面形状の壁で連続し、電線を誘導するための曲面形状の壁内面を形成した曲がり壁６２と、を有する。
【００３１】
曲がり壁６２は、コネクタハウジング２０から引き出された電線を、図３中、下方に向けて屈曲させるように誘導する壁である。
【００３２】
電線保持部７０は、被覆除去部９９の絶縁被覆９２から露出された露出面９３ａを周方向に沿って保持するものである。
この電線保持部７０は、図４に示すように、コネクタハウジング２０から引き出された電線９１の露出面９３ａを周方向に沿って保持する壁の本体部分となる保持本体壁７１と、保持本体壁７１が被覆除去部９９の断面形状に対応した断面円弧状にくり貫かれた部分であり、被覆除去部９９が嵌め込まれる被覆除去部嵌め込み部７２と、を有する。
【００３３】
保持本体壁７１は、曲がり壁６２の上部内面からその周辺の一対の側壁６１、６１の内面に沿って電線誘導壁部６０内に立設された壁である。
【００３４】
被覆除去部嵌め込み部７２は、図４および図５に示すように、下部に被覆除去部９９を内部に誘導するための被覆除去部誘導開口７２ａが形成されている。
【００３５】
被覆除去部誘導開口７２ａは、開口幅が入口側を大きく、内部に向けて縮小されるようにテーパ面７２ｂが形成されている。
【００３６】
このような電線保持部７０は、絶縁被覆９２の外周面を保持するのでなく、被覆除去部９９を保持するようになっている。
すなわち、電線保持部７０は、絶縁被覆９２が除去されることによって電線９１の外径が小さくされた部分を保持するようになっているので、絶縁被覆９２の外周面を基準とした保持本体壁７１の径外方向へ拡がる壁部分の面積を小さく抑えることができるようになっている。
【００３７】
また、電線保持部７０は、被覆除去部９９の前側の絶縁被覆９２の除去端面９９ａに当接される位置に配置される当接面７３が形成されている。
より具体的には、電線保持部７０は、図３に示すように、保持本体壁７１のコネクタハウジング２０側の面が被覆除去部９９の前側の絶縁被覆９２の除去端面９９ａに当接されるように設けられている。
【００３８】
このため、電線９１がコネクタハウジング２０から引き出される方向（図３中矢印Ｔ方向）に引っ張られる場合であっても、被覆除去部９９の除去端面９９ａが当接面７３に当接されているので、端子付き電線９０が引っ張り方向に移動されることが阻止されるようになっている。
すなわち、コネクタカバーの電線保持構造１は、コネクタハウジング２０の端子収容室２１内に設けられた弾性係止片２１ａと同様に、端子９５が端子収容室２１外に離脱されることを防ぐ係止手段としての機能をなしている。
【００３９】
また、コネクタカバーの電線保持構造１は、電線９１を引っ張る力を被覆除去部９９の除去端面９９ａによって受け止めるようになっているので、端子９５に電線９１を引っ張る力が作用されない。
このため、電線９１を引っ張る力が作用されても、電線圧着部９７による芯線９３および絶縁被覆９２への圧着状態を維持できるため、芯線９３が破断されること、あるいは、電線圧着部９７から電線９１が抜けてしまうことを防ぐことができるようになっている。
【００４０】
本発明の実施例に係るコネクタカバーの電線保持構造１は、コネクタカバー３０の電線保持部７０が、電線９１の最外層の絶縁被覆９２が除去された被覆除去部９９の露出面９３ａを周方向に沿って保持している。すなわち、電線保持部７０が、絶縁被覆９２が除去されることによって電線９１の外径が小さくされた被覆除去部９９を保持するようになっている。このため、絶縁被覆９２の外周面を基準とした電線保持部７０の径外方向へ拡がる壁部分の面積を小さく抑えることができ、結果的に、コネクタハウジング２０から引き出された電線９１を保持するためにコネクタカバー３０に設けられた電線保持部７０を小型化し、ひいてはコネクタカバー３０を小型化することができる。
【００４１】
また、本発明の実施例に係るコネクタカバーの電線保持構造１は、電線保持部７０に被覆除去部９９の前側の絶縁被覆９２の除去端面９９ａに当接された当接面７３が形成されているので、電線９１がコネクタハウジング２０から引き出される方向に引っ張られる場合であっても、被覆除去部９９の除去端面９９ａが当接面７３に当接されているので、端子付き電線９０が引っ張り方向に移動されることが阻止される。しかも、電線９１を引っ張る力を除去端面９９ａによって受け止め端子９５に電線を引っ張る力が作用されないようになっているので、端子９５がコネクタハウジング２０から離脱されることを防ぎ、かつ、端子９５と電線９１との接続状態を維持できるため、電線９１の芯線９３の破断、あるいは、端子９５から電線９１が抜けることを防ぐことができる。
（変形例）
【００４２】
次に、図８を用いて、コネクタカバー８０の変形例について説明する。
図８は、変形例のコネクタカバー８０をコネクタハウジングへの装着側から視た図である。
この変形例のコネクタカバー８０は、電線保持部７０を複数有する点で、実施例のコネクタカバー３０と異なる。
なお、その他の構成は実施例と同様であり、実施例と同一構成部分には同一符号を付しその説明を省略している。
【００４３】
この変形例のコネクタカバー８０は、不図示のコネクタハウジングから引き出される３本の電線９１に対応して３つの電線保持部７０が並んで設けられている。
【００４４】
この変形例のコネクタカバー８０は、３つの電線保持部７０を有するが、個々の電線保持部７０が電線９１の被覆除去部９９を保持するようになっているので、隣り合う電線保持部７０の間隔を小さくすることができ、実施例と同様に、コネクタハウジング２０から引き出された電線９１を保持するためにコネクタカバー８０に設けられた電線保持部７０を小型化し、ひいてはコネクタカバー３０を小型化することができる。
【００４５】
なお、本発明の実施例に係るコネクタカバーの電線保持構造１は、電線保持部７０が被覆除去部９９の前側の絶縁被覆９２の除去端面９９ａに当接されるものを例示したが、これに限らず、電線保持部７０は、被覆除去部９９の絶縁被覆９２から露出された露出面９３ａを周方向に沿って保持するようになっていればよい。
【００４６】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００４７】
１            コネクタカバーの電線保持構造
１０          コネクタ
２０          コネクタハウジング
２１          端子収容室
２１ａ        弾性係止片
３０、８０    コネクタカバー
４０          ハウジング固定部
４１          固定壁
５０          電線方向規制部
６０          電線誘導壁部
６１          側壁
６２          曲がり壁
７０          電線保持部
７１          保持本体壁
７２          被覆除去部嵌め込み部
７２ａ        被覆除去部誘導開口
７２ｂ        テーパ面
７３          当接面
９０          端子付き電線
９１          電線
９２          絶縁被覆
９３          芯線
９３ａ        露出面
９５          端子
９６          相手端子接続部
９６ａ        弾性接触片
９７          電線圧着部
９７ａ        芯線圧着部
９７ｂ        被覆圧着部
９８          連結部
９９          被覆除去部
９９ａ        除去端面
１００        カバー装着コネクタ
【図１】
2018206664.tif 000003
【図２】
2018206664.tif 000004
【図３】
2018206664.tif 000005
【図４】
2018206664.tif 000006
【図５】
2018206664.tif 000007
【図６】
2018206664.tif 000008
【図７】
2018206664.tif 000009
【図８】
2018206664.tif 000010